(57)【要約】      （修正有）【課題】種々のサービスを効率的にサポートするための動的な動作を提供する。【解決手段】送信機は、周波数帯域の第１及び第２の部分を、互いに異なる第１及び第２のサブキャリア間隔を有する第１及び第２のマルチキャリア変調方式に対して割り当てる。当該周波数帯域の第１及び第２の部分で第１及び第２のマルチキャリア変調方式を使用して、第１の時間インターバルにおいて無線デバイスへデータが送信される。第２の時間インターバルの間に、周波数帯域のうちのオーバラップしない第３及び第４の部分が、互いに異なる第３及び第４のサブキャリア間隔を有する第３及び第４のマルチキャリア変調方式に対して割り当てられる。第３及び第４の部分及び／又は方式は、第１及び第２の部分及び／又は方式と異なる。周波数帯域の第３及び第４の部分で第３及び第４のマルチキャリア変調方式を使用して、第２の時間インターバルにおいてデータが送信される。【選択図】図１５
2019198090.tif 000002
【特許請求の範囲】
【請求項１】
方法（1100）であって、
第１の時間インターバルの間に、周波数帯域のうちのオーバラップしない第１及び第２の部分を、それぞれ第１及び第２のマルチキャリア変調方式に割り当てること（1102）と、ここで、前記第１及び第２のマルチキャリア変調方式は、それぞれ第１及び第２のサブキャリア間隔を有し、当該第１及び第２のサブキャリア間隔は互いに異なり、
第２の時間インターバルの間に、周波数帯域のうちのオーバラップしない第３及び第４の部分を、それぞれ第３及び第４のマルチキャリア変調方式に割り当てること（1106）とを含み、前記第３及び第４のマルチキャリア変調方式は、それぞれ第３及び第４のサブキャリア間隔を有し、当該第３及び第４のサブキャリア間隔は互いに異なり、かつ、前記第３及び第４の部分が前記第１及び第２の部分と異なるか、前記第３及び第４のマルチキャリア変調方式が前記第１及び第２のマルチキャリア変調方式と異なるか、又はその両方である、方法。
【請求項２】
請求項１に記載の方法（1100）であって、更に、
前記周波数帯域の前記第１及び第２の部分で前記第１及び第２のマルチキャリア変調方式を使用して、前記第１の時間インターバルにおいて１つ以上の無線デバイスへデータを送信すること（1104）と、
前記周波数帯域の前記第３及び第４の部分で前記第３及び第４のマルチキャリア変調方式を使用して、前記第２の時間インターバルにおいて１つ以上の無線デバイスへデータを送信すること（1108）とを含む、方法。
【請求項３】
請求項１又は２に記載の方法（1100）であって、前記第１及び第２の時間インターバルに前記無線デバイスへ送信されるデータに対応するサービス要求条件を評価することを更に含み、
前記第１の時間インターバルの間の、前記周波数帯域のうちの前記第１及び第２の部分の前記第１及び第２のマルチキャリア変調方式への前記割り当て（1102）と、前記第２の時間インターバルの間の、前記周波数帯域のうちの前記第３及び第４の部分の前記第３及び第４のマルチキャリア変調方式への前記割り当て（1106）とは、サービス要求条件の前記評価に基づいている、方法。
【請求項４】
請求項３に記載の方法（1100）であって、更に、サービス要求条件の前記評価に先立って、１つ以上の無線デバイスについてのサービス要求条件を各無線デバイスから受信することを含む、方法。
【請求項５】
請求項１から４のいずれか１項に記載の方法（1100）であって、更に、前記第１及び第２の時間インターバルにおいてスケジューリングされる１つ以上の無線デバイスについてのデバイス能力情報を評価することを含み、前記第１の時間インターバルの間の、前記周波数帯域のうちの前記第１及び第２の部分の前記第１及び第２のマルチキャリア変調方式への前記割り当て（1102）と、前記第２の時間インターバルの間の、前記周波数帯域のうちの前記第３及び第４の部分の前記第３及び第４のマルチキャリア変調方式への前記割り当て（1106）とは、デバイス能力情報の前記評価に基づいている、方法。
【請求項６】
請求項５に記載の方法（1100）であって、更に、デバイス能力情報の前記評価に先立って、１つ以上の無線デバイスについてのデバイス情報を各無線デバイスから受信することを含む、方法。
【請求項７】
請求項５又は６に記載の方法（1100）であって、前記デバイス能力情報は、第１の無線デバイスが、単一のマルチキャリア変調方式のみを用いて動作できることを示し、前記第１及び第２の時間インターバルの少なくともいずれかにおける前記周波数帯域の少なくとも１つの部分が、前記示すことに応じて前記単一のマルチキャリア変調方式に対して割り当てられる、方法。
【請求項８】
請求項１から７のいずれか１項に記載の方法（1100）であって、更に、それぞれの時間インターバルにおいて異なるマルチキャリア変調方式を使用して、前記第１及び第２の時間インターバルのそれぞれにおいて第２の無線デバイスへデータを送信することを含む、方法。
【請求項９】
請求項１から８のいずれか１項に記載の方法（1100）であって、前記第１又は第２の時間インターバルは、第１、第２、第３又は第４のサブキャリア間隔について、マルチキャリア変調方式に従って使用される変調シンボルの数に依存している、方法。
【請求項１０】
請求項１から９のいずれか１項に記載の方法（1100）であって、前記第１及び第２の時間インターバルは時間的に連続している、方法。
【請求項１１】
請求項１から１０のいずれか１項に記載の方法（1100）であって、前記第１又は第２の時間インターバルの長さは、前記周波数帯域のうちの前記第１、第２、第３及び第４の部分と、それぞれのサブキャリア間隔との少なくともいずれかの割り当ての時点を定める、方法。
【請求項１２】
方法（1200）であって、
第１の時間インターバルにおいて、第１のサブキャリア間隔を有する第１のマルチキャリア変調方式を使用して、周波数帯域の第１の部分からのデータを受信及び復調すること（1202）と、
第２の時間インターバルにおいて、第２のサブキャリア間隔を有する第２のマルチキャリア変調方式を使用して、前記周波数帯域の第２の部分からのデータを受信及び復調すること（1204）とを含み、
前記第１のサブキャリア間隔は、前記第２のサブキャリア間隔と異なる、方法。
【請求項１３】
請求項１２に記載の方法（1200）であって、前記周波数帯域の前記第１の部分は、前記周波数帯域の前記第２の部分と異なる、方法。
【請求項１４】
請求項１２又は１３に記載の方法（1200）であって、更に、前記第１及び第２の時間インターバルにおいて前記無線デバイスへ送信されるデータについてのサービス要求条件のインジケーションを、前記第１及び第２の時間インターバルに先立ってリモート送信デバイスへ送信することを含む、方法。
【請求項１５】
請求項１２から１４のいずれか１項に記載の方法（1200）であって、更に、受信用のマルチキャリア変調方式についての前記無線デバイスの能力のインジケーションを、前記第１及び第２の時間インターバルに先立って前記リモート送信デバイスへ送信することを含む、方法。
【請求項１６】
請求項１２又は１３に記載の方法（1200）であって、更に、要求されたマルチキャリア変調方式のインジケーションを、前記第１及び第２の時間インターバルに先立って前記リモート送信デバイスへ送信することを含む、方法。
【請求項１７】
無線送信機（30,50）であって、
マルチキャリア変調方式に従って無線送信を送信及び受信するように構成された送受信回路（36,56）と、
前記送受信回路（36,56）に動作可能に接続された処理回路（32,52）であって、当該処理回路は、
第１の時間インターバルの間に、周波数帯域のうちのオーバラップしない第１及び第２の部分を、それぞれ第１及び第２のマルチキャリア変調方式に割り当て、ここで、前記第１及び第２のマルチキャリア変調方式は、それぞれ第１及び第２のサブキャリア間隔を有し、当該第１及び第２のサブキャリア間隔は互いに異なり、
第２の時間インターバルの間に、周波数帯域のうちのオーバラップしない第３及び第４の部分を、それぞれ第３及び第４のマルチキャリア変調方式に割り当てるように構成されており、前記第３及び第４のマルチキャリア変調方式は、それぞれ第３及び第４のサブキャリア間隔を有し、当該第３及び第４のサブキャリア間隔は互いに異なり、かつ、前記第３及び第４の部分が前記第１及び第２の部分と異なるか、前記第３及び第４のマルチキャリア変調方式が前記第１及び第２のマルチキャリア変調方式と異なるか、又はその両方である、無線送信機。
【請求項１８】
請求項１７に記載の無線送信機（30,50）であって、前記送受信回路（36,56）は、
前記周波数帯域の前記第１及び第２の部分で前記第１及び第２のマルチキャリア変調方式を使用して、前記第１の時間インターバルにおいて１つ以上の無線デバイスへ、前記送受信回路（36,56）を介してデータを送信し、
前記周波数帯域の前記第３及び第４の部分で前記第３及び第４のマルチキャリア変調方式を使用して、前記第２の時間インターバルにおいて１つ以上の無線デバイスへ、前記送受信回路（36,56）を介してデータを送信するように構成されている、無線送信機。
【請求項１９】
請求項１７又は１８に記載の無線送信機（30,50）であって、前記処理回路（32,52）は、前記第１及び第２の時間インターバルに前記無線デバイスへ送信されるデータに対応するサービス要求条件を評価し、かつ、サービス要求条件の前記評価に基づいて、前記第１の時間インターバルの間の、前記周波数帯域のうちの前記第１及び第２の部分の前記第１及び第２のマルチキャリア変調方式への前記割り当て（1102）と、前記第２の時間インターバルの間の、前記周波数帯域のうちの前記第３及び第４の部分の前記第３及び第４のマルチキャリア変調方式への前記割り当て（1106）とを実行するように構成されている、無線送信機。
【請求項２０】
請求項１９に記載の無線送信機（30,50）であって、前記処理回路（32,52）は、サービス要求条件の前記評価に先立って、１つ以上の無線デバイスについてのサービス要求条件を各無線デバイスから受信するように構成されている、無線送信機。
【請求項２１】
請求項１７から２０のいずれか１項に記載の無線送信機（30,50）であって、前記処理回路（32,52）は、前記第１及び第２の時間インターバルにおいてスケジューリングされる１つ以上の無線デバイスについてのデバイス能力情報を評価し、かつ、デバイス能力情報の前記評価に基づいて、前記第１の時間インターバルの間の、前記周波数帯域のうちの前記第１及び第２の部分の前記第１及び第２のマルチキャリア変調方式への前記割り当て（1102）と、前記第２の時間インターバルの間の、前記周波数帯域のうちの前記第３及び第４の部分の前記第３及び第４のマルチキャリア変調方式への前記割り当て（1106）とを実行するように構成されている、無線送信機。
【請求項２２】
請求項２１に記載の無線送信機（30,50）であって、前記処理回路（32,52）は、デバイス能力情報の前記評価に先立って、１つ以上の無線デバイスについてのデバイス情報を各無線デバイスから受信するように構成されている、無線送信機。
【請求項２３】
請求項２１又は２２に記載の無線送信機（30,50）であって、前記デバイス能力情報は、第１の無線デバイスが、単一のマルチキャリア変調方式のみを用いて動作できることを示し、前記無線送信機は、前記第１及び第２の時間インターバルの少なくともいずれかにおける前記周波数帯域の少なくとも１つの部分を、前記示すことに応じて前記単一のマルチキャリア変調方式に対して割り当てるように構成されている、無線送信機。
【請求項２４】
請求項１７から２３のいずれか１項に記載の無線送信機（30,50）であって、前記処理回路（32,52）は、それぞれの時間インターバルにおいて異なるマルチキャリア変調方式を使用して、前記第１及び第２の時間インターバルのそれぞれにおいて第２の無線デバイスへデータを送信するように構成されている、無線送信機。
【請求項２５】
請求項１７から２４のいずれか１項に記載の無線送信機（30,50）であって、前記第１又は第２の時間インターバルは、第１、第２、第３又は第４のサブキャリア間隔について、マルチキャリア変調方式に従って使用される変調シンボルの数に依存している、無線送信機。
【請求項２６】
請求項１７から２５のいずれか１項に記載の無線送信機（30,50）であって、前記第１及び第２の時間インターバルは時間的に連続している、無線送信機。
【請求項２７】
請求項１７から２６のいずれか１項に記載の無線送信機（30,50）であって、前記第１又は第２の時間インターバルの長さは、前記周波数帯域のうちの前記第１、第２、第３及び第４の部分と、それぞれのサブキャリア間隔との少なくともいずれかの割り当ての時点を定める、無線送信機。
【請求項２８】
無線受信機（30,50）であって、
マルチキャリア変調方式に従って無線送信を送信及び受信するように構成された送受信回路（36,56）と、
前記送受信回路（36,56）に動作可能に接続された処理回路（32,52）であって、当該処理回路は、
第１の時間インターバルにおいて、第１のサブキャリア間隔を有する第１のマルチキャリア変調方式を使用して、周波数帯域の第１の部分からのデータを受信及び復調し、
第２の時間インターバルにおいて、第２のサブキャリア間隔を有する第２のマルチキャリア変調方式を使用して、前記周波数帯域の第２の部分からのデータを受信及び復調するように構成されており、
前記第１のサブキャリア間隔は、前記第２のサブキャリア間隔と異なる、無線受信機。
【請求項２９】
請求項２８に記載の無線受信機（30,50）であって、前記周波数帯域の前記第１の部分は、前記周波数帯域の前記第２の部分と異なる、無線受信機。
【請求項３０】
請求項２８又は２９に記載の無線受信機（30,50）であって、前記処理回路（32,52）は、前記第１及び第２の時間インターバルにおいて前記無線デバイスへ送信されるデータについてのサービス要求条件のインジケーションを、前記第１及び第２の時間インターバルに先立ってリモート送信デバイスへ送信するように構成されている、無線受信機。
【請求項３１】
請求項２８から３０のいずれか１項に記載の無線受信機（30,50）であって、前記処理回路（32,52）は、受信用のマルチキャリア変調方式についての前記無線デバイスの能力のインジケーションを、前記第１及び第２の時間インターバルに先立って前記リモート送信デバイスへ送信するように構成されている、無線受信機。
【請求項３２】
請求項２８又は２９に記載の無線受信機（30,50）であって、前記処理回路（32,52）は、要求されたマルチキャリア変調方式のインジケーションを、前記第１及び第２の時間インターバルに先立って前記リモート送信デバイスへ送信するように構成されている、無線受信機。
【請求項３３】
プログラム命令（46,66）を含むコンピュータプログラムを格納した非一時的なコンピュータ読み取り可能記憶媒体（44,64）であって、前記プログラム命令は、送信機（30,50）の処理回路（32,52）で実行された場合に前記処理回路（32,52）に、
第１の時間インターバルの間に、周波数帯域のうちのオーバラップしない第１及び第２の部分を、それぞれ第１及び第２のマルチキャリア変調方式に割り当てることと、ここで、前記第１及び第２のマルチキャリア変調方式は、それぞれ第１及び第２のサブキャリア間隔を有し、当該第１及び第２のサブキャリア間隔は互いに異なり、
第２の時間インターバルの間に、周波数帯域のうちのオーバラップしない第３及び第４の部分を、それぞれ第３及び第４のマルチキャリア変調方式に割り当てることと、を実行させ、前記第３及び第４のマルチキャリア変調方式は、それぞれ第３及び第４のサブキャリア間隔を有し、当該第３及び第４のサブキャリア間隔は互いに異なり、かつ、前記第３及び第４の部分が前記第１及び第２の部分と異なるか、前記第３及び第４のマルチキャリア変調方式が前記第１及び第２のマルチキャリア変調方式と異なるか、又はその両方である、コンピュータ読み取り可能記憶媒体。
【請求項３４】
プログラム命令（46,66）を含むコンピュータプログラムを格納した非一時的なコンピュータ読み取り可能記憶媒体（44,64）であって、前記プログラム命令は、受信機（30,50）の処理回路（32,52）で実行された場合に前記処理回路（32,52）に、
第１の時間インターバルにおいて、第１のサブキャリア間隔を有する第１のマルチキャリア変調方式を使用して、周波数帯域の第１の部分からのデータを受信及び復調することと、
第２の時間インターバルにおいて、第２のサブキャリア間隔を有する第２のマルチキャリア変調方式を使用して、前記周波数帯域の第２の部分からのデータを受信及び復調することと、を実行させ、
前記第１のサブキャリア間隔は、前記第２のサブキャリア間隔と異なる、コンピュータ読み取り可能記憶媒体。
【請求項３５】
少なくとも１つの処理回路（32,52）で実行された場合に、請求項１から１６のいずれか１項に記載の方法（1100,1200）を前記少なくとも１つの処理回路（32,52）に実行させる命令（46,66）を含む、コンピュータプログラム（44,64）。
【請求項３６】
請求項３５に記載のコンピュータプログラム（46,66）を含むキャリアであって、前記キャリアは、電子信号、光信号、無線信号、又はコンピュータ読み取り可能記憶媒体の１つである、キャリア。
【請求項３７】
送信機（30,50）であって、
割り当てモジュール（1802,2002）であって、
第１の時間インターバルの間に、周波数帯域のうちのオーバラップしない第１及び第２の部分を、それぞれ第１及び第２のマルチキャリア変調方式に割り当て、ここで、前記第１及び第２のマルチキャリア変調方式は、それぞれ第１及び第２のサブキャリア間隔を有し、当該第１及び第２のサブキャリア間隔は互いに異なり、
第２の時間インターバルの間に、周波数帯域のうちのオーバラップしない第３及び第４の部分を、それぞれ第３及び第４のマルチキャリア変調方式に割り当てる、前記割り当てモジュールを備え、前記第３及び第４のマルチキャリア変調方式は、それぞれ第３及び第４のサブキャリア間隔を有し、当該第３及び第４のサブキャリア間隔は互いに異なり、かつ、前記第３及び第４の部分が前記第１及び第２の部分と異なるか、前記第３及び第４のマルチキャリア変調方式が前記第１及び第２のマルチキャリア変調方式と異なるか、又はその両方である、送信機。
【請求項３８】
受信機（30,50）であって、
受信及び復調モジュール（1902,2102）であって、
第１の時間インターバルにおいて、第１のサブキャリア間隔を有する第１のマルチキャリア変調方式を使用して、周波数帯域の第１の部分からのデータを受信及び復調し、
第２の時間インターバルにおいて、第２のサブキャリア間隔を有する第２のマルチキャリア変調方式を使用して、前記周波数帯域の第２の部分からのデータを受信及び復調する、前記受信及び復調モジュールを備え、
前記第１のサブキャリア間隔は、前記第２のサブキャリア間隔と異なる、受信機。
【発明の詳細な説明】
【技術分野】
【０００１】
本発明は、全体として無線通信ネットワークに関し、具体的にはマルチキャリア変調及び復調に関する。
【背景技術】
【０００２】
第３世代パートナシップ・プロジェクト（３ＧＰＰ）によって開発された、いわゆるロング・ターム・エボリューション（ＬＴＥ）無線通信ネットワークは、下りリンクでは、直交周波数分割多重（ＯＦＤＭ）を使用し、上りリンクでは、（シングルキャリア周波数分割多元接続又はＦＤＭＡとも称される）離散フーリエ変換拡散（ＤＦＴ拡散）ＯＦＤＭを使用する。このため、基本的なＬＴＥ下りリンク物理リソースは、図１に図示されるような時間‐周波数グリッドとして見え、各リソースエレメントは、１ＯＦＤＭシンボルインターバルの期間中の１ＯＦＤＭサブキャリアに相当する。上りリンク・サブフレームは、下りリンクと同じサブキャリア間隔を有し、かつ、時間領域において下りリンクのＯＦＤＭシンボルと同数のＳＣ−ＦＤＭＡシンボルを有する。
【０００３】
時間領域において、ＬＴＥ下りリンク送信は１０ｍｓの無線フレームで構成され、各無線フレームは、図２に示されるように、長さＴsubframe＝１ｍｓの１０個の同じサイズのサブフレームから成る。通常のサイクリックプレフィックスの場合、１個のサブフレームは、１４個のＯＦＤＭシンボルから成る。各シンボルの期間は、約７１．４μｓである。
【０００４】
更に、ＬＴＥにおけるリソース割り当ては、典型的にはリソースブック単位で記述され、リソースブロックは、時間領域における１スロット（０．５ｍｓ）、及び周波数領域における１２個の連続するサブキャリアに相当する。時間方向において隣接する２つのリソースブロックのペア（１．０ｍｓ）は、リソースブロックペアとして知られている。リソースブロックは、周波数領域において、システム帯域幅の一端から０で始まる番号が付される。
【０００５】
下りリンク送信は動的にスケジューリングされ、各サブフレームにおいて、基地局が、いずれの端末のデータが送信されるかに関し、かつ、いずれのリソースブロックによりデータが送信されるかに関する制御情報を、現在の下りリンク・サブフレームで送信する。この制御シグナリングは、典型的には、各サブフレームにおいて最初の１，２，３又は４つのＯＦＤＭシンボルで送信され、数ｎ＝１，２，３又は４は、制御フォーマット・インジケータ（ＣＦＩ：Control Format Indicator）として知られている。下りリンク・サブフレームは、受信機に既知であり、かつ、制御情報の同期復調に使用される共通の参照シンボルも含む。図３には、ＣＦＩ＝３ＯＦＤＭシンボルを有する下りリンク・システムが図示されている。図３に示される参照シンボルは、セル固有参照シンボル（ＣＲＳ：cell specific reference symbols）であり、精密な時間及び周波数同期と特定の送信モードのためのチャネル推定とを含む、多数の機能をサポートするために使用される。
【０００６】
ＬＴＥネットワークの発展及び展開が、大幅に増加した無線データレートをユーザに提供し、かつ、幅広いモバイルブロードバンド（ＭＢＢ：mobile broadband）サービスの発展を可能にしてきたが、こうしたサービスの需要は拡大し続けている。帯域幅及び性能の改善に対するこのような需要の増加に加えて、マシンタイプ通信（ＭＴＣ）におけるマシン・ツー・マシン（Ｍ２Ｍ）デバイスのような特殊用途の新たなアプリケーションが開発され続けている。こういった市場動向は、モバイルデータアプリケーションについての様々なサービス要求条件に更に適合するために、柔軟性が改善した無線通信技術が必要とされることを示している。
【発明の概要】
【０００７】
狭い又は広いサブキャリアは、異なるタイプのサービスを促進する。現在のＬＴＥ標準規格は、固定のサブキャリア間隔を使用しており、それ故に、大きく変化するサービス品質（ＱｏＳ）要求条件を満たすことに関して、比較的柔軟性がない。これは、特に、タイム・クリティカルなサービスに関して事実である。次世代又は「５Ｇ」無線アクセス技術（ＲＡＴ）として採用されうる、新たな物理層設計では、より小さく可変サイズのサブフレームを混合モード動作で使用するが、本明細書では、現在のＱｏＳニーズに適合するための動的な方法で新たなＲＡＴに対して定められるスケーラビリティを利用するための方法及び装置が必要であると認められる。本明細書に記載の実施形態は、所要のＱｏＳメトリックに基づいてサブキャリアを選択及び（再）構成するための装置及び方法を提供する。これは、例えば、異なるサブキャリア構成を選択し、それらを所要のＱｏＳ要求に基づいて適応させるための方式を含みうる。構成パラメータは、新たなＲＡＴにおけるサブキャリア及びシンボル長を含みうる。
【０００８】
記載される実施形態は、種々のサービスを効率的にサポートするための動的な動作を提供する。一例では、基地局は、スケジューリング要求（ＳＲ：scheduling request）のタイプに依存して、専用のリソースを割り当てるか否かを決定する。例えば、非常に短いデータサイズを有する緊急アラームが、ＳＲを最初に送信する古典的な仕組みを行使する代わりに、制御チャネルで直接送信されうる。
【０００９】
他の例では、基地局又はデバイス端末のいずれかが、サービスクラス及び／又はデバイス能力に依存して、ＱｏＳ要求条件を満たすためにいずれのタイプのＯＦＤＭサブキャリア間隔が割り当てられなければならないかを決定する。
【００１０】
更なる例では、基地局は、緊急の新たなリアルタイムトラフィックをサポートするために、割り当てられているリソースのうちのいずれを解放及び再割り当て（可能な場合）しなければならないかを、ＱｏＳ期待値が満たされるようにするためのリソース数及びデバイス能力の制約を考慮して決定する。リソースの再割り当てには、以前の割り当てについてのヌメロロジーに比べて、全く新しいマルチキャリア（即ち、ＯＦＤＭ、フィルタバンク・マルチキャリア（ＦＢＭＣ）等）ヌメロロジーが使用されうる。 
【００１１】
他の例では、システム帯域幅のサブセットが、現在のＱｏＳニーズに依存して、異なるサブキャリア間隔へ動的に（サブフレーム・ベースで）割り当てられる。
【００１２】
いくつかの実施形態によれば、方法は、第１の時間インターバルの間に、周波数帯域のうちのオーバラップしない第１及び第２の部分を、それぞれ第１及び第２のマルチキャリア変調方式に割り当てることを含む。第１及び第２のマルチキャリア変調方式は、それぞれ第１及び第２のサブキャリア間隔を有し、当該第１及び第２のサブキャリア間隔は互いに異なる。本方法は、当該周波数帯域の第１及び第２の部分で第１及び第２のマルチキャリア変調方式を使用して、第１の時間インターバルにおいて１つ以上の無線デバイスへデータを送信することを含みうる。本方法は、更に、第２の時間インターバルの間に、周波数帯域のうちのオーバラップしない第３及び第４の部分を、それぞれ第３及び第４のマルチキャリア変調方式に割り当てることを含む。第３及び第４のマルチキャリア変調方式は、それぞれ第３及び第４のサブキャリア間隔を有し、当該第３及び第４のサブキャリア間隔は互いに異なる。第３及び第４の部分が第１及び第２の部分と異なるか、第３及び第４のマルチキャリア変調方式が第１及び第２のマルチキャリア変調方式と異なるか、又はその両方である。本方法は、更に、当該周波数帯域の第３及び第４の部分で第３及び第４のマルチキャリア変調方式を使用して、第２の時間インターバルにおいて１つ以上の無線デバイスへデータを送信することを含みうる。
【００１３】
いくつかの実施形態によれば、方法は、第１の時間インターバルにおいて、第１のサブキャリア間隔を有する第１のマルチキャリア変調方式を使用して、周波数帯域の第１の部分からのデータを受信及び復調することを含む。本方法は、更に、第２の時間インターバルにおいて、第２のサブキャリア間隔を有する第２のマルチキャリア変調方式を使用して、当該周波数帯域の第２の部分からのデータを受信及び復調することを含む。第１のサブキャリア間隔は、第２のサブキャリア間隔と異なる。
【００１４】
いくつかの実施形態によれば、無線送信機は、マルチキャリア変調方式に従って無線送信を送信及び受信するように構成された送受信機と、当該送受信器に動作可能に接続された処理回路と、を備える。処理回路は、第１の時間インターバルの間に、周波数帯域のうちのオーバラップしない第１及び第２の部分を、それぞれ第１及び第２のマルチキャリア変調方式に割り当てるように構成される。第１及び第２のマルチキャリア変調方式は、それぞれ第１及び第２のサブキャリア間隔を有し、当該第１及び第２のサブキャリア間隔は互いに異なる。処理回路は、更に、当該周波数帯域の第１及び第２の部分で第１及び第２のマルチキャリア変調方式を使用して、第１の時間インターバルにおいて１つ以上の無線デバイスへ、送受信機を介してデータを送信するように構成される。処理回路は、更に、第２の時間インターバルの間に、周波数帯域のうちのオーバラップしない第３及び第４の部分を、それぞれ第３及び第４のマルチキャリア変調方式に割り当てるように構成される。第３及び第４のマルチキャリア変調方式は、それぞれ第３及び第４のサブキャリア間隔を有し、当該第３及び第４のサブキャリア間隔は互いに異なる。第３及び第４の部分が第１及び第２の部分と異なるか、第３及び第４のマルチキャリア変調方式が第１及び第２のマルチキャリア変調方式と異なるか、又はその両方である。処理回路は、更に、当該周波数帯域の第３及び第４の部分で第３及び第４のマルチキャリア変調方式を使用して、第２の時間インターバルにおいて１つ以上の無線デバイスへ、送受信機を介してデータを送信するように構成される。
【００１５】
いくつかの実施形態によれば、無線受信機は、マルチキャリア変調方式に従って無線送信を送信及び受信するように構成された送受信機と、当該送受信器に動作可能に接続された処理回路と、を備える。処理回路は、第１の時間インターバルにおいて、第１のサブキャリア間隔を有する第１のマルチキャリア変調方式を使用して、周波数帯域の第１の部分からのデータを受信及び復調するよう構成される。処理回路は、更に、第２の時間インターバルにおいて、第２のサブキャリア間隔を有する第２のマルチキャリア変調方式を使用して、当該周波数帯域の第２の部分からのデータを受信及び復調するよう構成される。第１のサブキャリア間隔は、第２のサブキャリア間隔と異なる。
【００１６】
当然ながら、本発明は、上記の特徴及び効果に限定されない。当業者は、以下の詳細な説明を読み、添付の図面を見ることで、更なる特徴及び効果を理解しよう。
【図面の簡単な説明】
【００１７】
【図１】図１は、ＬＴＥ下りリンク物理リソースを図示する図を示す。
【図２】図２は、ＬＴＥ時間領域構成の図を示す。
【図３】図３は、下りリンク・サブフレームの図を示す。
【図４】図４は、いくつかの実施形態に係る、マルチモード構成を示す。
【図５】図５は、いくつかの実施形態に係る、ネットワークアクセスノードの図を示す。
【図６】図６は、いくつかの実施形態で使用されうるＯＦＤＭ変調方式のブロック図を示す。
【図７】図７は、いくつかの実施形態で使用されうるＯＦＤＭ復調方式のブロック図を示す。
【図８】図８は、いくつかの実施形態で使用されうるＤＦＴＳ−ＯＦＤＭ変調方式のブロック図を示す。
【図９】図９は、いくつかの実施形態で使用されうるＤＦＴＳ−ＯＦＤＭ復調方式のブロック図を示す。
【図１０】図１０は、いくつかの実施形態に係る、各時間インターバルにおける複数のＩＦＦＴ変調方式を使用した信号生成を示す。
【図１１】図１１は、いくつかの実施形態に係る、マルチキャリア変調のための送信機ノードにおける方法を示す。
【図１２】図１２は、いくつかの実施形態に係る、マルチキャリア復調のための受信機ノードにおける方法を示す。
【図１３】図１３は、いくつかの実施形態に係る、ユーザ装置のブロック図を示す。
【図１４】図１４は、いくつかの実施形態に係る、時間インターバルにおける信号ダイアグラムの例を示す。
【図１５】図１５は、いくつかの実施形態に係る、連続する時間インターバルについての混合モードＯＦＤＭの信号ダイアグラムの例を示す。
【図１６】図１６は、いくつかの実施形態に係る、連続する時間インターバルについての混合モードＯＦＤＭの信号ダイアグラムの例を示す。
【図１７】図１７は、いくつかの実施形態に係る、時間インターバルにおける信号ダイアグラムの例を示す。
【図１８】図１８は、いくつかの実施形態に係る、送信機ノードとして動作するネットワークアクセスノードの機能実装を示す。
【図１９】図１９は、いくつかの実施形態に係る、受信機ノードとして動作するネットワークアクセスノードの機能実装を示す。
【図２０】図２０は、いくつかの実施形態に係る、送信機ノードとして動作するユーザ装置の機能実装を示す。
【図２１】図２１は、いくつかの実施形態に係る、受信機ノードとして動作するユーザ装置の機能実装を示す。
【発明を実施するための形態】
【００１８】
近年、無線デバイスの数及びアプリケーションが急成長しており、この傾向は今後も続く可能性が高い。大きく変化するアプリケーション・ニーズ（即ち、サービス品質（ＱｏＳ）パラメータ及び展開シナリオ）を有する新たなアプリケーションの出現により、単一の柔軟性のない物理層技術は、所望の性能特性を達成するためには適切ではない。これに関連して、将来世代のセルラネットワークのための非常に柔軟な物理層が、現在設計されている。これは、新たな物理層設計が、遅延、信頼性及びスループットを含む、広範囲の可変のＱｏＳ要求条件を満たすことを対象としている。異なるサブキャリア間隔を使用して、スケーラビリティを適応させることが提案されている。この新たな物理層に対して提案された他の特徴は、異なる複数のサブキャリア間隔が同じ周波数帯域内で同時に共存することを可能にする混合モード動作をサポートする必要があることである。
【００１９】
このため、「５Ｇ」ネットワークのような将来のネットワークでは、マルチモード・マルチキャリア構成は、異なるアプリケーション及びサービスの可変のＱｏＳ要求条件を満たすことが想定される。本明細書で提案する新たなヌメロロジーは、異なるサブキャリア間隔（又はそれに対応して、異なるＯＦＤＭシンボルサイズ）をサポートすることが可能であり、当該ヌメロロジーは、異なるＯＦＤＭ構成の相互運用性を促進するために異なるＯＦＤＭシンボル長が共に非常に良好に調和するように定義されている。
【００２０】
図４は、マルチモード構成の２つケースを、非限定的な例として示す。ここで、マイクロサブフレーム（micro-subframe）が定義され、各マイクロサブフレームは、少数のＯＦＤＭシンボルと同等でありうる。一例として、図４の１マイクロサブフレーム４１０は、４つの「長い」ＯＦＤＭシンボル４１２，４１４，４１６及び４１８で構成されるように示されている。（同図における各シンボルは、サイクリックプレフィックスを含む。）ここでは、新たなヌメロロジーにより、異なるサブキャリア間隔及び／又は異なるシンボル長によって特徴付けられる、異なるマルチキャリア変調モードの相互運用性がもたらされることに留意すべきである。図４に示す例では、狭いサブキャリア間隔と、それに対応して長いＯＦＤＭシンボル４１２，４１４，４１６及び４１８とを有する１つのマイクロサブフレーム４１０は、広いサブキャリア間隔と、それに対応して短いＯＦＤＭシンボル４２２，４２４，４２６等とを有する４つのマイクロサブフレーム４２０と等しい。
【００２１】
図４は、２つのマルチキャリア変調モードが使用される例を示しているが、２つを上回る数のモードが混合モードＯＦＤＭ構成においてサポートされてもよいことに留意すべきである。ＯＦＤＭ変調器及び復調器の詳細に詳しい者には、モード選択（即ち、所与のマルチキャリア変調モードについてのＯＦＤＭシンボル長及びサブキャリア間隔の選択）が、所与のサンプリングレートと一緒に、信号の変復調に使用されるＦＦＴ／ｉＦＦＴサイズを適切に選択することによって、実現されうることが理解されよう。ＬＴＥでは、サブキャリア間隔が１５ｋＨｚに固定されており、シンボル期間は、７つのシンボル（「通常の」サイクリックプレフィックス）又は６つのシンボル（拡張されたサイクリックプレフィックス）が５００マイクロ秒のスロット内に適合するように、設定される。ここで説明するアプローチでは、ＬＴＥで使用されるＯＦＤＭ変調（と同一ではない場合）のようなマルチキャリア変調モードが、例えばより広いサブキャリア間隔及びより短いシンボル長を有する１つ以上の他のマルチキャリア変調モードと同じ周波数帯域で、同時に使用されうる。
【００２２】
既存のＬＴＥ標準規格の問題の１つは、固定の大きなサイズのサブフレーム構成を使用することであり、これは、クリティカルＭＴＣ（Ｃ−ＭＴＣ）のシナリオにおいてよくある、非常に小さなサイズのデータについてリソースの無駄につながる。更に、比較的粗い時間粒度に起因して、ＬＴＥのリソースブロックは、Ｃ−ＭＴＣアプリケーションの非常に低遅延の要求条件を簡単には満たさない。既存のＬＴＥ標準規格の第２の問題は、異なる全てのサービスが同じサブフレーム構成を使用しなければならないことであり、Ｃ−ＭＴＣアプリケーション用の新たなタイム・クリティカルなデータサービスをサポートするために、異なるユーザ間でサブフレームを分割することはできない。
【００２３】
これらの問題の両方は、本明細書で詳述するマルチモード技術によって対処される。Ｃ−ＭＴＣアプリケーションは、例えばＬＴＥで使用されるものと比べて、例えば、比較的広いサブキャリア間隔及び比較的短いＯＦＤＭシンボル長を有するマルチキャリア変調モードを用いてサービスされうる。これにより、図４に示すマイクロサブフレーム４２０のような、比較的短いマイクロサブフレームを使用するこれらのアプリケーションとの通信が容易になる。
【００２４】
本明細書では、所要のＱｏＳメトリックに基づいてサブキャリア間隔を選択及び（再）構成するための装置及び方法について説明する。これらは、例えば、混合モード・マルチキャリア配置において異なる複数のサブフレームが共存することを可能にしながら、サービス品質の要求条件に基づいてマルチキャリア変調モード（例えば、サブキャリア間隔及びマイクロサブフレーム期間）の選択を適応させるシステムを含む。かかるシステムは、更に、緊急のタイム・クリティカルなトラフィック又はその他の急に変化したＱｏＳ要求が生じた場合の、リソースの再割り当ての可能性を与える。
【００２５】
直交周波数分割多重（ＯＦＤＭ）はマルチキャリア変調技術の一例にすぎないことが理解されるべきである。他の例は、離散フーリエ変換拡散（ＤＦＴ拡散又はＤＦＴＳ−）ＯＦＤＭを含み、これは、シングルキャリア周波数分割多元接続（ＳＣ−ＦＤＭＡ）又はプリコーデッドＯＦＤＭとも称される。更に他の例は、フィルタバンク・マルチキャリア（ＦＢＭＣ：filter-bank multicarrier）変調、プリコーデッドＦＢＭＣ、及び一般化周波数分割多重（ＧＦＤＭ：Generalized Frequency-Division Multiplexing）を含む。これらの技術に詳しい者には、それらの技術ごとにデジタル信号処理が変化することが理解されるであろうが、これらのマルチキャリア変調技術の任意の１つ以上が、本明細書で詳述するマルチモード方式で採用されてよく、それにより、本明細書ではＯＦＤＭに関して実施形態の例を説明しており、説明する技術及び装置が、ＯＦＤＭに加えて又はＯＦＤＭに代えて１つ以上の他のマルチキャリア変調技術を採用してよいことがが、理解されるべきである。
【００２６】
図５は、いくつかの実施形態に係る、基地局のようなネットワークアクセスノード３０の図を示す。ネットワークノード３０は、無線デバイスとコアネットワークとの通信を促進する。ネットワークアクセスノード３０は、データ及びセルラ通信サービスの提供を目的として、コアネットワーク内の他のノード、無線ノード、及び／又はネットワーク内の他のタイプのノードと通信するための回路を含む通信インタフェース回路３８を含む。ネットワークアクセスノード３０は、アンテナ３４及び送受信回路３６を介して無線デバイスと通信する。送受信回路３６は、セルラ通信サービスの提供を目的として、無線アクセス技術に従って信号を送信及び受信するようまとめて構成された、送信回路、受信回路、及び関連する制御回路を含みうる。
【００２７】
ネットワークアクセスノード３０は、通信インタフェース回路３８又は送受信回路３６と動作可能に結合した、１つ以上の処理回路３２を更に含む。ネットワークアクセスノード３０は、通信インタフェース回路３８を使用してネットワークノードと通信するとともに、送受信回路３６を使用してユーザ装置と通信する。議論を容易にするために、１つ以上の処理回路３２を、以下では「処理回路３２」と称する。処理回路３２は、１つ以上のデジタルプロセッサ４２（例えば、１つ以上のマイクロプロセッサ、マイクロコントローラ、デジタル・シグナル・プロセッサ（ＤＳＰ）、フィールド・プログラマブル・ゲート・アレイ（ＦＰＧＡ）、コンプレックス・プログラマブル・ロジック・デバイス（ＣＰＬＤ）、特定用途向け集積回路（ＡＳＩＣ）、又はそれらの任意の組み合わせ）を含む。より一般的には、処理回路３２は、不変の回路、若しくは、本明細書で教示される機能を実現するプログラム命令の実行により構成されるプログラマブル回路を含みうるか、又は、不変の回路及びプログラムされた回路の何らかの組み合わせを含みうる。プロセッサ４２は、マルチコアであってもよく、即ち、性能の改善、消費電力の低減、及びマルチタスクのより効率的な同時処理のために利用される、２つ以上のプロセッサコアを有してもよい。
【００２８】
処理回路３２は、メモリ４４を更に含む。いくつかの実施形態において、メモリ４４は、１つ以上のコンピュータプログラム４６を格納し、オプションとして、設定データ４８を格納する。メモリ４４は、コンピュータプログラム４６用の非一時的なストレージを提供し、ディスクストレージ、ソリッドステートメモリストレージ、又はそれらの任意の組み合わせのような、１つ以上のタイプのコンピュータ読み取り可能媒体を含みうる。非限定的な例として、メモリ４４は、処理回路３２内に設けられうる、及び／又は処理回路３２とは別に設けられうる、ＳＲＡＭ、ＤＲＡＭ、ＥＥＰＲＯＭ、及びフラッシュメモリのうちの任意の１つ以上を含む。
【００２９】
一般に、メモリ４４は、ネットワークアクセスノード３０によって使用されるコンピュータプログラム４６及び任意の設定データ４８の、非一時的なストレージを提供する、１つ以上のタイプのコンピュータ読み取り可能記憶媒体を含む。ここで、「非一時的（non-transitory）」は、永久的な、半永久的な、又は少なくとも一時的に永続的なストレージを意味し、例えば、プログラム実行用の、不揮発性メモリ内の長期ストレージ及びワーキングメモリ内のストレージの両方を包含する。
【００３０】
処理回路３２は、単独であろうが他のデジタルハードウェアと結合していようが、
（ネットワークアクセスノード３０が送信機ノードとして機能するための）１つ以上のマルチキャリア変調技術、及び／又は、（ネットワークアクセスノード３０が受信機ノードとして機能するための）１つ以上のマルチキャリア復調技術を実行するよう構成される。変調技術の例が図６に示されている。
【００３１】
図６は、逆高速フーリエ変換（ＩＦＦＴ）、又はより一般的には逆離散フーリエ変換（ＩＤＦＴ）を用いるＯＦＤＭ変調を示す。以下で更に詳しく説明するように、図６に示す信号処理構成についての２つ以上の同時インスタンス化が、マルチモード動作のために使用されうる。図４のダイアグラムに示すように、ＯＦＤＭサブキャリア数Ｎｃ及びサブキャリア間隔は変化しうる。サブキャリア数Ｎｃは、選択されたサブキャリア間隔及び全体の送信帯域幅に依存して、百未満から数千までに及びうる。
【００３２】
図６に示すように、各ＯＦＤＭ時間インターバルの期間中に、直並列変換器６０２によって、Ｎｃ個の被変調シンボルａ０からａＮｃ−１が、サイズＮのＩＤＦＴ６０４へ供給される。ＩＦＦＴサイズは、生成されうるサブキャリアの総数に相当し、生成されるサブキャリアの実際の数は、図６のＮｃである。
【００３３】
ＩＤＦＴ６０４の並列出力は、並直列変換器６０６によって直列の時間系列へ変換される。サイクリックプレフィックス挿入器６０８は、ＯＦＤＭ信号が時間分散に対してより感度が低くなるように、ＯＦＤＭシンボルの一部のコピーを当該ＯＦＤＭシンボルの先頭に挿入する。変換器６１０によるデジタル／アナログ変換の後に、最終的な出力信号ｘ(ｔ)が送信用に準備される。
【００３４】
図７は、ＦＦＴ処理、又はより一般的にはＤＦＴ処理を用いる復調を示す。受信信号ｒ(ｔ)は、サンプリングされ、ＣＰ除去器７０２によってサイクリックプレフィックスが除去される。直並列変換器７０４は、ＯＦＤＭシンボルのサンプルを、サイズＮのＤＦＴ７０６へ供給し、当該ＤＦＴは、被変調信号の多数のサブキャリアからデータシンボル値を抽出する。これらのデータシンボルは、その後、並直列変換器７０８によって、データシンボルの直列ストリームへ変換される。これらのデータシンボルは、その後、個別に復調されて、結果として得られたデータは復号される。
【００３５】
図８は、シングルキャリア周波数分割多元接続（ＳＣ−ＦＤＭＡ）と称されることもある、ＤＦＴベース・プリコーディング又はＤＦＴ拡散ＯＦＤＭ（ＤＦＴＳ−ＯＦＤＭ）を用いるＯＦＤＭ変調を示す。Ｍ個の変調シンボルのブロックが、サイズＭのＤＦＴ８０２へ適用される。ＤＦＴ８０２の出力は、その後、サイズＮのＩＤＦＴとして実装されたＯＦＤＭ変調器８０４の入力へ適用され、ＯＦＤＭ変調器８０４の各入力は、結果として得られる被変調信号のサブキャリアに対応する。ＯＦＤＭ変調器８０４におけるＩＤＦＴ出力の時間系列への変換後に、サイクリックプレフィックス挿入器８０６がサイクリックプレフィックスを挿入する。最終的に、出力信号ｘ(ｔ)は、デジタル／アナログ変換器８０８による変換の後に出力される。
【００３６】
図９は、サイクリックプレフィックス除去器９０２、サイズＮのＤＦＴ９０４、及びサイズＭのＩＤＦＴ９０６によって受信信号ｒ(ｔ)が処理される、ＤＦＴＳ−ＯＦＤＭ復調を示す。図９に示すＤＦＴＳ−ＯＦＤＭ復調器は、図７のＯＦＤＭ復調器と似ているが、サイズＭのＩＤＦＴ９０６が追加されていることが理解されよう。
【００３７】
これまでに言及したように、ＯＦＤＭ及びＤＦＴＳ−ＯＦＤＭを、マルチキャリア変調／復調技術の例として説明したが、本発明の実施形態は、こうした技術に限定されない。また、簡単化のために（例えば周波数領域において行われうる）あらゆる等化を図面から省略していることに留意されたい。
【００３８】
ＩＦＦＴサイズは、異なるヌメロロジー、又は送信パラメータの変形を用いて、変調方式に対して選択されうる。結果として生じる割り当てにより、同じ時間インターバルの、異なる周波数帯域部分において、異なるサブキャリア間隔を有するシンボルが提供されうる。例えば、図１０は、２つの同時に適用されるマルチキャリア変調１００２及び１００４を示す。変調器１００２は、２０４８のＩＦＦＴサイズで動作し、２０４８個の比較的狭い被変調サブキャリアを出力する能力があり、変調器１００４は、５１２のＩＦＦＴサイズで動作する。変調器１００４は、変調器１００２からのサブキャリアの４倍の広さの、最大５１２個のサブキャリアを生成しながら、４分の１の長さのシンボルも生成する。
【００３９】
図示された例では、それぞれが１６．８７５ｋＨｚの帯域幅を有する、変調器１００２のサブキャリア４００−１０００が生成され、変調器１００４からのサブキャリア２８０−４００は、それぞれ６７．５ｋＨｚの帯域幅を有する。変調器１００２及び１００４において使用される入力の範囲は、結果として生じるサブキャリアが互いにぶつからないように選択されることが理解されよう。図示された例では、変調器１００４からの１２１個の相対的に広いサブキャリアは、変調器１００２のサブキャリア１１２０−１６００によって占有されるであろうスペクトルの一部に対応する。このように、対応する変調器入力は使用されない。これにより、周波数領域において、２つのマルチキャリア変調器からの出力間に小さなギャップがもたらされ、これは、２つの被変調信号が、時間領域において送信前に互いに単純に足し合わされうることを意味する。その結果、所与の時間インターバルにおいて、変調方式１００２は、周波数帯域の第１の非オーバラップ部分について、より長いシンボルブロックをもたらし、変調方式１００４は、当該周波数帯域の第２の非オーバラップ部分において、より多くの間隔で、より短いシンボルブロックをもたらす。結果的に、同じ時間インターバル内で全て、異なるサブキャリア間隔を使用する異なる受信機ノードへ、シンボルを方向づけることができる。
【００４０】
本発明の実施形態は、周波数帯域の異なる部分に対して異なるマルチキャリア変調方式の使用を提供する。マルチキャリア変調方式は、変調方式が異なる基本的な技術を使用しうる点、若しくは異なるヌメロロジー／サブキャリア間隔を使用しうる点、又はその両方の組み合わせの点で、異なりうる。例えば、１つの変調方式がＯＦＤＭを使用しうる一方で、他の異なる変調方式がＤＦＴＳ−ＯＦＤＭ又はＦＢＭＣを使用しうる。同様に、２つの異なるマルチキャリア方式は、両方ともＯＦＤＭを使用しうるが、異なるサブキャリア間隔を使用しうる。
【００４１】
更に、周波数帯域のうちの、任意の所与のマルチキャリア変調方式に割り当てられる部分が、時間インターバルごとに動的に変更されてもよい。これは、周波数帯域のうちの異なる複数の部分において、サブキャリア間隔及びシンボル期間が異なりうることを意味する。図１０に示される例では２つのマルチキャリア変調方式が組み合わされているが、これは、周波数帯域のうちの非衝突部分が複数の変調器に割り当てられる限り、３つ、４つ、又はそれ以上の数のマルチキャリア変調方式へ拡張可能であることが理解されよう。
【００４２】
周波数帯域のうちの異なる部分のための異なるサブキャリア間隔及びシンボル間隔は、ＱｏＳ要求条件のようなサービス要求条件に基づいて、時間インターバルごとに決定されうる。時間インターバルは、種々のデバイス又はサービスのサービス要求条件を満たしつつ帯域幅の利用をより良く最大限にするために、時間インターバルのうちの種々の部分について種々の変調方式を利用しうる。
【００４３】
本明細書で説明する種々の実施形態によれば、送信機及び／又は受信機は、様々なサービス要求条件に対処しながら、図６〜１０に記載されたマルチキャリア変調及び復調技術、又は他のマルチキャリア変調技術を用いて通信を実行しうる。送信機及び／又は受信機は、ネットワークアクセスノード（例えば、基地局）又は無線デバイス（例えば、ＵＥ）でありうる。例えば、ネットワークアクセスノード３０の処理回路３２のプロセッサ４２は、マルチキャリア変調を実行する送信機ノードとしてネットワークアクセスノード３０を動作させるようにプロセッサ４２を構成する、メモリ４４に格納されたコンピュータプログラム４６を実行しうる。いくつかの実施形態において、処理回路３２は、１つ以上のプログラムベース・プロセッサと協働して、ＤＦＴ／ＩＤＦＴ処理を実行するための専用のデジタルハードウェアを含みうる。プロセッサ４２は、第１の時間インターバルの間に、周波数帯域のうちのオーバラップしない第１及び第２の部分を、それぞれ第１及び第２のマルチキャリア変調方式に割り当てるように構成される。第１及び第２のマルチキャリア変調方式は、それぞれ第１及び第２のサブキャリア間隔を有し、当該第１及び第２のサブキャリア間隔は互いに異なる。プロセッサ４２は、更に、当該周波数帯域の第１及び第２の部分で第１及び第２のマルチキャリア変調方式を使用して、第１の時間インターバルにおいて１つ以上の無線デバイスへ、送受信回路３６を用いてデータを送信するように構成される。
【００４４】
プロセッサ４２は、更に、第２の時間インターバルの間に、周波数帯域のうちのオーバラップしない第３及び第４の部分を、それぞれ第３及び第４のマルチキャリア変調方式に割り当てるように構成される。第３及び第４のマルチキャリア変調方式は、それぞれ第３及び第４のサブキャリア間隔を有し、当該第３及び第４のサブキャリア間隔は互いに異なる。第３及び第４の部分が第１及び第２の部分と異なるか、第３及び第４のマルチキャリア変調方式が第１及び第２のマルチキャリア変調方式と異なるか、又はその両方である。明確化のために、もし両方の場合、第３及び第４の部分が第１及び第２の部分と異なり、かつ、第３及び第４のマルチキャリア変調方式が第１及び第２のマルチキャリア変調方式と異なる。プロセッサ４２は、更に、当該周波数帯域の第３及び第４の部分で第３及び第４のマルチキャリア変調方式を使用して、第２の時間インターバルにおいて１つ以上の無線デバイスへ、送受信回路３６を用いてデータを送信するように構成される。この構成及び機能は、処理回路３２内の変復調回路４０として言及されうる。
【００４５】
第３及び第４の部分又は変調方式が第１及び第２の部分又は変調方式と異なると述べた場合に、第３及び第４の部分又は変調方式の両方が第１及び第２の部分又は変調方式の両方と異なることは必要ではない。場合によっては、第３の部分又は変調方式が第１の部分又は変調方式と同じであってもよく、第４の部分又は変調方式が第２の部分又は変調方式と異なるだけである。同様に、第２及び第４の部分又は変調方式が同じであってもよい一方で、第１及び第３の部分又は変調方式が異なる。当然ながら、場合によっては、４つ全ての部分又は変調方式が、他の部分又は変調方式のそれぞれと完全に異なっていてもよい。なお、本明細書における第１、第２、第３及び第４の部分又は変調方式への言及は、説明目的で使用されており、実施形態を、各時間インターバルにおいて２つの部分又は変調方式のみに限定することはない。
【００４６】
第１及び第２の部分と異なる第３及び第４の部分の例には、第１の時間インターバルにおいては周波数帯域の第１の部分が第２の部分より大きいが、第２の時間インターバルにおいては第４の部分が第３の部分より大きい場合が含まれうる。他の非限定的な例において、連続した時間インターバルにわたる混合モードＯＦＤＭの信号ダイアグラムの例である図１５にあるように、第１及び第３の部分が同じであるが第４の部分が第３及び第２の部分より大きいために、第３及び第４の部分が第１及び第２の部分と異なっている。更に別の例では、第１の時間インターバルにおける２つの部分のサイズが、第２の時間インターバルにおける２つの部分のサイズとそれぞれ同じでありうるが、当該２つの部分の一方又は両方の、周波数帯域内での位置が、時間インターバルごとに異なりうる。
【００４７】
第３及び第４の変調方式が第１及び第２の変調方式と異なる例には、基本的な干渉方式が異なる場合が含まれうる。例としては、これは、第１の時間インターバルの第１及び第２の変調方式と第２の時間インターバルの第３の変調方式とが、例えばＯＦＤＭであり、第４の変調方式が、例えばＤＦＴＳ−ＯＦＤＭである場合であってもよい。
【００４８】
他の例では、変調方式は、サブキャリア間隔が異なっていてもよい。例えば、第１の変調方式は、第１のインターバルにおいて、第２の変調方式よりも、より多数のより小さなサブキャリア間隔を有してもよい一方で、第４の変調方式は、第２のインターバルにおいて、第３の変調方式よりも、より多数のより小さなサブキャリア間隔を有してもよい。他の非限定的な例では、第２の変調方式が、第１の変調方式よりも、より多数のより小さなサブキャリア間隔を有する場合に、第３及び第４の変調方式は第１及び第２の変調方式と異なってもよく、一方で、第３及び第４の変調方式は、図１５のように、第１の変調方式と同じ数のサブキャリア間隔を有するが、第２の変調方式とは異なる数のサブキャリア間隔を有する。
【００４９】
いくつかの実施形態において、処理回路３２は、方法１１００のような、マルチキャリア変調のための方法を実行するように構成される。例えば、図１１は、第１の時間インターバルの間に、周波数帯域のうちのオーバラップしない第１及び第２の部分を、それぞれ第１及び第２のマルチキャリア変調方式に割り当てることを含む（ブロック１１０２）。第１及び第２のマルチキャリア変調方式は、それぞれ第１及び第２のサブキャリア間隔を有し、当該第１及び第２のサブキャリア間隔は互いに異なる。本方法は、当該周波数帯域の第１及び第２の部分で第１及び第２のマルチキャリア変調方式を使用して、第１の時間インターバルにおいて１つ以上の無線デバイスへデータを送信することを含みうる（ブロック１１０４）。本方法は、更に、第２の時間インターバルの間に、周波数帯域のうちのオーバラップしない第３及び第４の部分を、それぞれ第３及び第４のマルチキャリア変調方式に割り当てることを含む（ブロック１１０６）。第３及び第４のマルチキャリア変調方式は、それぞれ第３及び第４のサブキャリア間隔を有し、当該第３及び第４のサブキャリア間隔は互いに異なる。第３及び第４の部分が第１及び第２の部分と異なるか、第３及び第４のマルチキャリア変調方式が第１及び第２のマルチキャリア変調方式と異なるか、又はその両方である。本方法は、当該周波数帯域の第３及び第４の部分で第３及び第４のマルチキャリア変調方式を使用して、第２の時間インターバルにおいて１つ以上の無線デバイスへデータを送信することを含みうる（ブロック１１０８）。なお、この動作は、時間インターバルが連続的であろうとなかろうと、その後の時間インターバルについて継続してもよい。
【００５０】
場合によっては、第１又は第２の時間インターバルは、第１、第２、第３又は第４のサブキャリア間隔について、マルチキャリア変調方式に従って、使用される変調シンボルの数に依存する。場合によっては、第１又は第２の時間インターバルの長さは、周波数帯域の第１、第２、第３及び第４の部分及び／又はそれぞれのサブキャリア間隔の割り当ての時点を定める。
【００５１】
処理回路３２のプロセッサ４２は、マルチキャリア復調を実行する受信機としてネットワークアクセスノードを動作させるようにプロセッサ４２を構成する、メモリ４４に格納されたコンピュータプログラム４６を実行しうる。このため、プロセッサ４２は、第１の時間インターバルにおいて、第１のサブキャリア間隔を有する第１のマルチキャリア変調方式を使用して、周波数帯域の第１の部分からのデータを受信及び復調するよう構成される。プロセッサ４２は、更に、第２の時間インターバルにおいて、第２のサブキャリア間隔を有する第２のマルチキャリア変調方式を使用して、当該周波数帯域の第２の部分からのデータを受信及び復調するよう構成される。第１のサブキャリア間隔は、第２のサブキャリア間隔と異なる。この構成及び機能は、処理回路３２内の変復調回路４０として又はその一部としても言及されうる。
【００５２】
いくつかの実施形態において、処理回路３２は、方法１２００のような、マルチキャリア復調のための方法を実行するように構成される。例えば、図１２は、第１の時間インターバルにおいて、第１のサブキャリア間隔を有する第１のマルチキャリア変調方式を使用して、周波数帯域の第１の部分からのデータを受信及び復調することを含む、方法１２００を示している（ブロック１２０２）。本方法１２００は、更に、第２の時間インターバルにおいて、第２のサブキャリア間隔を有する第２のマルチキャリア変調方式を使用して、当該周波数帯域の第２の部分からのデータを受信及び復調することを含む（ブロック１２０４）。第１のサブキャリア間隔は、第２のサブキャリア間隔と異なる。
【００５３】
ネットワークアクセスノード３０は、ノード、ネットワークノード又は無線ネットワークノードと称されてもよい。ネットワークアクセスノード３０は、基地局、無線基地局、基地局装置、拡張ＮｏｄｅＢ（ｅＮｏｄｅＢ）、ＮｏｄｅＢ、中継ノード、アクセスポイント、無線アクセスポイント、超高密度ネットワーク（ＵＤＮ：Ultra Dense Network）／ソフトウェア定義ネットワーク（ＳＤＮ：Software Defined Network）無線アクセスノード、リモートラジオユニット（ＲＲＵ：Remote Radio Unit）、リモートラジオヘッド（ＲＲＨ：Remote Radio Head）等を含みうる、任意の種類のネットワークアクセスノードでありうる。
【００５４】
図１３は、いくつかの実施形態に係る、ユーザ装置５０のような無線デバイスの図を示す。説明を簡単にするために、ユーザ装置５０は、ネットワークで動作しうる任意の無線デバイスを表すものともみなされうる。本明細書では、ＵＥ５０は、無線信号を介してネットワークノード又は他のＵＥと通信する能力を有する任意のタイプの無線デバイスでありうる。ＵＥ５０は、無線通信デバイス、ターゲットデバイス、デバイス・ツー・デバイス（Ｄ２Ｄ）ＵＥ、マシン・ツー・マシン通信（Ｍ２Ｍ）の能力があるマシンタイプＵＥ又はＵＥ、ＵＥを備えたセンサ、ＰＤＡ（パーソナル・デジタル・アシスト）、タブレット、モバイル端末、スマートフォン、laptop embedded equipped（ＬＥＥ）、laptop mounted equipment（ＬＭＥ）、ＵＳＢドングル、カスタマ構内設備（ＣＰＥ：Customer Premises Equipment）等でありうる。
【００５５】
ＵＥ５０は、アンテナ５４及び送受信回路５６を介して、ネットワークアクセスノード３０のような無線ノード又は基地局と通信する。送受信回路５６は、セルラ通信サービスの提供を目的として、無線アクセス技術に従って信号を送信及び受信するようまとめて構成された、送信回路、受信回路、及び関連する制御回路を含みうる。
【００５６】
ＵＥ５０は、送受信回路５６と動作可能に結合した、１つ以上の処理回路５２を更に含む。処理回路５２は、１つ以上のデジタル処理回路（例えば、１つ以上のマイクロプロセッサ、マイクロコントローラ、デジタル・シグナル・プロセッサ（ＤＳＰ）、フィールド・プログラマブル・ゲート・アレイ（ＦＰＧＡ）、コンプレックス・プログラマブル・ロジック・デバイス（ＣＰＬＤ）、特定用途向け集積回路（ＡＳＩＣ）、又はそれらの任意の組み合わせ）を含む。より一般的には、処理回路５２は、不変の回路、若しくは、本明細書で教示される機能を実現するプログラム命令の実行により構成されるプログラマブル回路を含みうるか、又は、不変の回路及びプログラムされた回路の何らかの組み合わせを含みうる。処理回路５２は、マルチコアであってもよい。
【００５７】
処理回路５２は、メモリ６４を更に含む。いくつかの実施形態において、メモリ６４は、１つ以上のコンピュータプログラム６６を格納し、オプションとして、設定データ６８を格納する。メモリ６４は、コンピュータプログラム６６用の非一時的なストレージを提供し、ディスクストレージ、ソリッドステートメモリストレージ、又はそれらの任意の組み合わせのような、１つ以上のタイプのコンピュータ読み取り可能媒体を含みうる。非限定的な例として、メモリ６４は、処理回路５２内に設けられうる、及び／又は処理回路５２とは別に設けられうる、ＳＲＡＭ、ＤＲＡＭ、ＥＥＰＲＯＭ、及びフラッシュメモリのうちの任意の１つ以上を含む。一般に、メモリ６４は、ユーザ装置５０によって使用されるコンピュータプログラム６６及び任意の設定データ６８の、非一時的なストレージを提供する、１つ以上のタイプのコンピュータ読み取り可能記憶媒体を含む。
【００５８】
ＵＥ５０は、変復調回路６０の一部であろうとなかろうと、少なくとも、図４〜１２に示される変調及び復調技術を実行するよう構成されうる。例えば、処理回路５２のプロセッサ６２は、ネットワークアクセスノード３０のプロセッサ４２について上記で説明したように、送信機として動作するようプロセッサ６２を構成する、メモリ６４に格納されたコンピュータプログラム６６を実行しうる。この機能は、処理回路５２内の変復調回路６０によって実行されうる。ＵＥ５０の処理回路５２は、図１１の方法１１００のような、マルチキャリア変調のための方法を実行するように構成される。
【００５９】
処理回路５２のプロセッサ６２は、ネットワークアクセスノード３０のプロセッサ４２について上記で説明したように、受信機としてユーザ装置ノード５０を動作させるようプロセッサ６２を構成する、メモリ６４に格納されたコンピュータプログラム６６を実行しうる。この機能は、処理回路５２内の変復調回路６０によって実行されうる。ＵＥ５０の処理回路５２は、図１２の方法１２００のような、マルチキャリア復調のための方法を実行するように構成される。
【００６０】
場合によっては、ネットワークアクセスノード３０等の送信機ノードは、そのような変調技術及び復調技術の両方により動作するよう構成されうる一方で、ＵＥ５０等の受信機ノードは、単に、当該受信機ノードを対象としたシンボルを受信及び復調できる。
【００６１】
いくつかの実施形態において、処理回路４０，６０は、２つの異なる（おそらくは連続した）時間インターバルで無線デバイスへ送信されるデータに対応するサービス要求条件を評価するよう構成される。当該評価に基づいて、周波数帯域の第１及び第２の部分が、第１の時間インターバルの間に第１及び第２のマルチキャリア変調方式に割り当てられうる一方で、当該周波数帯域の第３及び第４の部分が、第２の時間インターバルの間に第３及び第４のマルチキャリア変調方式に割り当てられる。場合によっては、無線デバイスについてのサービス要求条件が、当該サービス要求条件の評価に先立って受信されうる。
【００６２】
無線デバイスのデバイス能力も、割り当てに影響しうる。このようなデバイス能力は、サブキャリア間隔が時間インターバルごとに変化する場合に、時間インターバル内に配置されたシンボルを受信及び復調する、各無線デバイスの能力に関する情報を含みうる。例えば、デバイス能力情報は、第１の無線デバイスが、単一のマルチキャリア変調方式のみを用いて動作できることを示しうる。したがって、第１及び／又は第２の時間インターバルにおける周波数帯域のうちの少なくとも１つの部分が、上記示すことに応じて、単一のマルチキャリア変調方式に割り当てられる。同じ時間インターバル内で、及び／又は複数の連続する時間インターバルにわたって、異なる変調方式が異なるデバイスのために使用されうることが、後に続きうる。
【００６３】
いくつかの実施形態において、ネットワークアクセスノード３０及び／又はＵＥ５０は、ＱｏＳ要求条件のような固定のサービス要求条件を有する専用の動作モードで動作するよう構成される。この場合、端末デバイス（ＵＥ）は、特定の専用の（プリコーデッド）マルチキャリアモードで動作する。なお、（プリコーデッド）マルチキャリアモードは、ＯＦＤＭ、ＦＢＭＣ、ＤＦＴ拡散ＯＦＤＭ（ＤＦＴＳ−ＯＦＤＭ）、プリコーデッドＦＢＭＣ、及び一般化周波数分割多重（ＧＦＤＭ）でありうる（がそれらに限定されない）。当然ながら、これらのケースは、異なる（専用の又は混合の）マルチキャリアモードを使用する他のデバイスとのとの相互運用性を制限しない。非限定的な例として、図１４に示されるような２つのマルチキャリアモードのみのシンプルな例について検討する。ＵＥ１は、長いシンボルを用いるモバイルブロードバンド（ＭＢＢ）トラフィックのみをサポートし、ＵＥ２は、短いシンボルを用いるＣ−ＭＴＣのみをサポートする。両方の種類のデバイスは、混合モード・マルチキャリアをサポートしている単一の基地局（ＢＳ）によってサービスされている。しかし、異なる周波数サブバンドが、異なるマルチキャリアモードによって使用される。ＵＥのマルチキャリア構成は、ＵＥがネットワークに接続する際に、制御シグナリングを介して対応するネットワークアクセスノード３０又はＢＳへ伝えられうる。特定のＵＥについてのマルチキャリア構成は、ＵＥがネットワークに接続されている限り、又はＱｏＳが変更される必要がない限り、同じであり続ける。
【００６４】
他の実施形態において、ネットワークアクセスノード３０及び／又はＵＥ５０は、可変のＱｏＳ要求条件のような、混合モードのマルチキャリア動作をサポートするよう構成されうる。図１５は、ＵＥ２が、ＱｏＳ要求条件に基づいて異なるマルチキャリアモードで動作するケースを示す。このケースは、複数のサービスクラスを有する端末デバイス（又はＵＥ）についてのより一般的なケースと考えられうる。サービスクラスに対応して、適切なマルチキャリアモードが選択される。非限定的な例として、分かりやすくするために２つの混合マルチキャリアモードについて検討する。Ｃ−ＭＴＣ及びＭＢＢタイプの両方のトラフィックをサポートするために、デバイス自体又はＢＳは、厳しいタイムライン要求条件を順守するためにＣ−ＭＴＣトラフィックに対してショートシンボルを選択する一方、ＭＢＢ（又はクリティカルではない）トラフィックに対してロングシンボルを使用する。
【００６５】
デフォルトのマルチキャリア構成（例えば、最小のシンボルサイズを有するマルチキャリアモード）を使用して、ＵＥとＢＳとの間で制御シグナリングが生じうる。ＵＥ（又はＢＳ）は、トラフィックＱｏＳ要求条件に基づいてマルチキャリアモード構成を選択しうるとともに、選択されたマルチキャリア構成について、ＰＵＣＣＨ（若しくはＰＤＣＣＨ）又は（デフォルト構成を使用する）他の同様の制御チャネルでＢＳ（又はデバイス）にシグナリングしうる。例えば、混合モード動作でサポートされているマルチキャリ・オプションの総数に依存して、選択されたマルチキャリアモードを知らせるためにＳＲ又はＰＤＣＣＨで数ビットが予約されうる。
【００６６】
いくつかの実施形態では、制御チャネル使用（Control Channel Usage）の場合と同様に、モードが選択されない。データサイズが特定の閾値より小さいアラーム信号又はコマンドメッセージのような緊急Ｃ−ＭＴＣサービスの場合、変調技術は、データを送信するためにＰＵＣＣＨ自体を使用しうる。この場合、ＢＳは、明示的に何らリソースを割り当てない。制御信号は、マルチキャリアモードについて合意するためにＢＳとＵＥとが何らの制御オーバヘッドもやりとりする必要がないように、デフォルトのマルチキャリアモードを使用する。あるいは、ＰＵＣＣＨは、利用可能なマルチキャリア・ヌメロロジーのうちの１つ（例えば、厳しい遅延要求条件に起因して、ショートシンボル・ヌメロロジー）を用いて構成されうる。
【００６７】
いくつかの実施形態では、リアルタイムデータトラフィックの要求が生じた場合、又は利用可能な空きリソースが存在しない場合の、既に割り当てられているリソースの再割り当ての方法が記述される。ＢＳは、遅延クリティカルな要求が少ない既に割り当てられているリソースに代えて、発生したリアルタイムトラフィックを収容する。明らかに、あまり時間クリティカルではないサービスが、システム内で利用可能な他のリソースに再割り当てされる。
【００６８】
再割り当てプロセスは、サービスクラスに基づく新たなマルチキャリア構成を伴いうる。図１６には、このプロセスの非限定的な例が示されている。図１６の上部から、厳しいタイムライン要求条件を有するＵＥ３及びＵＥ７からのトラフィックが発生した時刻に、全てのシステムリソースが占有されていることが分かる。ＵＥ３及びＵＥ７のリソース割り当てを、可能性のある将来のマイクロサブフレームに遅らせることはＱｏＳ要求を満たさない一方で、ＵＥ１及びＵＥ２はタイム・クリティカルなＱｏＳ要求条件を有しないため、ＵＥ１及びＵＥ２に既に割り当てられたリソースは利用可能になりうる。図１６の下部には、ＵＥ３及びＵＥ７へのリソースを割り当てて、ＵＥ１及びＵＥ２にリソースを再割り当てするプロセスが図示されている。ＵＥ３及びＵＥ７へリソースを再割り当てしながら、ＯＦＤＭ構成も適切に変更されることに言及するのは価値がある。
【００６９】
いくつかの実施形態では、最も広い利用可能なサブキャリアを有するＯＦＤＭモードのマイクロサブフレームごとに、クリティカル・データが優先されうる。図１７は、クリティカル・データの優先を示している。周波数分割複信（ＦＤＤ）多重がデバイス端末又はＵＥでサポートされている場合、ＵＥは、送信の実行中に、可能性のある最小のマイクロサブフレーム・レベルで下りリンク割り当てをリッスンしなければならない。このように、クリティカル・データが到着する場合、非クリティカル・サービスを有するＵＥからリソース（時間及び／又は周波数）を得る可能性がある。これは、非クリティカル・データを有するＵＥに対して、送信を中断するための余分なシグナリングを必要とする。
【００７０】
図１８は、例えば、変復調回路４０に基づいて、送信機ノードとして動作するネットワークアクセスノード３０に実装されうるような、一例の機能モジュール又は回路アーキテクチャを示す。図示された実施形態は、第１の時間インターバルの間に、周波数帯域のうちのオーバラップしない第１及び第２の部分を、それぞれ第１及び第２のマルチキャリア変調方式に割り当てるための割り当てモジュール１８０２を少なくとも機能的に含む。第１及び第２のマルチキャリア変調方式は、それぞれ第１及び第２のサブキャリア間隔を有し、当該第１及び第２のサブキャリア間隔は互いに異なる。本実施形態は、更に、当該周波数帯域の第１及び第２の部分で第１及び第２のマルチキャリア変調方式を使用して、第１の時間インターバルにおいて１つ以上の無線デバイスへデータを送信するための送信モジュール１８０４を含む。割り当てモジュール１８０２は、更に、第２の時間インターバルの間に、周波数帯域のうちのオーバラップしない第３及び第４の部分を、それぞれ第３及び第４のマルチキャリア変調方式に割り当てるように構成される。第３及び第４のマルチキャリア変調方式は、それぞれ第３及び第４のサブキャリア間隔を有し、当該第３及び第４のサブキャリア間隔は互いに異なる。第３及び第４の部分が第１及び第２の部分と異なるか、第３及び第４のマルチキャリア変調方式が第１及び第２のマルチキャリア変調方式と異なるか、又はその両方である。送信モジュール１８０４は、更に、当該周波数帯域の第３及び第４の部分で第３及び第４のマルチキャリア変調方式を使用して、第２の時間インターバルにおいて１つ以上の無線デバイスへデータを送信するように構成される。
【００７１】
図１９は、例えば、変復調回路４０に基づいて、受信機ノードとして動作するネットワークアクセスノード３０に実装されうるような、一例の機能モジュール又は回路アーキテクチャを示す。図示された実施形態は、第１の時間インターバルにおいて、第１のサブキャリア間隔を有する第１のマルチキャリア変調方式を使用して、周波数帯域の第１の部分からのデータを受信及び復調するための受信及び復調モジュール１９０２を少なくとも機能的に含む。受信及び復調モジュール１９０２は、更に、第２の時間インターバルにおいて、第２のサブキャリア間隔を有する第２のマルチキャリア変調方式を使用して、当該周波数帯域の第２の部分からのデータを受信及び復調するよう構成される。第１のサブキャリア間隔は、第２のサブキャリア間隔と異なる。
【００７２】
図２０は、例えば、変復調回路６０に基づいて、送信機ノードとして動作するユーザ装置ノード５０に実装されうるような、一例の機能モジュール又は回路アーキテクチャを示す。図示された実施形態は、第１の時間インターバルの間に、周波数帯域のうちのオーバラップしない第１及び第２の部分を、それぞれ第１及び第２のマルチキャリア変調方式に割り当てるための割り当てモジュール２００２を少なくとも機能的に含む。第１及び第２のマルチキャリア変調方式は、それぞれ第１及び第２のサブキャリア間隔を有し、当該第１及び第２のサブキャリア間隔は互いに異なる。本実施形態は、更に、当該周波数帯域の第１及び第２の部分で第１及び第２のマルチキャリア変調方式を使用して、第１の時間インターバルにおいて１つ以上の無線デバイスへデータを送信するための送信モジュール２００４を含む。割り当てモジュール２００２は、更に、第２の時間インターバルの間に、周波数帯域のうちのオーバラップしない第３及び第４の部分を、それぞれ第３及び第４のマルチキャリア変調方式に割り当てるように構成される。第３及び第４のマルチキャリア変調方式は、それぞれ第３及び第４のサブキャリア間隔を有し、当該第３及び第４のサブキャリア間隔は互いに異なる。第３及び第４の部分が第１及び第２の部分と異なるか、第３及び第４のマルチキャリア変調方式が第１及び第２のマルチキャリア変調方式と異なるか、又はその両方である。送信モジュール２００４は、更に、当該周波数帯域の第３及び第４の部分で第３及び第４のマルチキャリア変調方式を使用して、第２の時間インターバルにおいて１つ以上の無線デバイスへデータを送信するように構成される。
【００７３】
図２１は、例えば、変復調回路６０に基づいて、受信機ノードとして動作するユーザ装置ノード５０に実装されうるような、一例の機能モジュール又は回路アーキテクチャを示す。図示された実施形態は、第１の時間インターバルにおいて、第１のサブキャリア間隔を有する第１のマルチキャリア変調方式を使用して、周波数帯域の第１の部分からのデータを受信及び復調するための受信及び復調モジュール２１０２を少なくとも機能的に含む。受信及び復調モジュール２１０４は、更に、第２の時間インターバルにおいて、第２のサブキャリア間隔を有する第２のマルチキャリア変調方式を使用して、当該周波数帯域の第２の部分からのデータを受信及び復調するよう構成される。第１のサブキャリア間隔は、第２のサブキャリア間隔と異なる。
【００７４】
本明細書で説明した実施形態は、多くの効果をもたらす。例えば、効果には、より粒度の細かい動的なリソース管理を通じてより高い性能が得られることが含まれる。実施形態によれば、システムが広範囲のＱｏＳ要件を満たすことが可能になる。効果には更に、アプリケーション・トラフィックＱｏＳ要求の程度を変化させる、混合モードのマルチキャリア動作をサポートしているデバイス間での効率的なリソースの管理が可能になることが含まれる。システムは、更に、発生した予測不可能なトラフィックの厳しいタイムライン要求条件を満たすためにリソースを再割り当てすることが可能になる。ランタイム時にリソースを再割り当てする能力を有することにより、Ｃ−ＭＴＣのユースケースにおけるアラームの処理が可能になるとともに、動的な要求条件に対処することが可能になる。
【００７５】
効果には、専用の能力（更には、異なるが固定の能力）を有するデバイスと、混合モード動作をサポートしているデバイスとの効率的な共存をシステムが実現することが可能になることが更に含まれる。単一の（専用の）動作モードを有するデバイスは、ハードウェアを単純化し、それ故に、デバイスコストを低減する。更には、これは、消費電力バジェットをシステムが低くするのに間接的に役立つ。異なるマルチキャリアモードを有するデバイスの効率的な共存及び管理が要求されることが大いにありうる。
【００７６】
とりわけ、上述の説明及び関連する図面で提示した教示の恩恵を受ける当業者は、開示した（複数の）発明の変更及び他の実施形態が思い浮かぶであろう。したがって、開示した特定の実施形態及びその変更に（複数の）発明が限定されないこと、及び本開示の範囲内に他の実施形態が含まれることが意図されていることは、理解されるべきである。本明細書では特定の用語が採用されうるが、それらは、一般的及び記述的な意味のみで使用されており、限定を目的として使用されてはいない。
【図１】
2019198090.tif 000003
【図２】
2019198090.tif 000004
【図３】
2019198090.tif 000005
【図４】
2019198090.tif 000006
【図５】
2019198090.tif 000007
【図６】
2019198090.tif 000008
【図７】
2019198090.tif 000009
【図８】
2019198090.tif 000010
【図９】
2019198090.tif 000011
【図１０】
2019198090.tif 000012
【図１１】
2019198090.tif 000013
【図１２】
2019198090.tif 000014
【図１３】
2019198090.tif 000015
【図１４】
2019198090.tif 000016
【図１５】
2019198090.tif 000017
【図１６】
2019198090.tif 000018
【図１７】
2019198090.tif 000019
【図１８】
2019198090.tif 000020
【図１９】
2019198090.tif 000021
【図２０】
2019198090.tif 000022
【図２１】
2019198090.tif 000023
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
方法（1100）であって、
１つ以上の無線デバイスに対して満たされるべきサービス要求条件を各無線デバイスから受信することと、
第１及び第２の時間インターバルに前記無線デバイスへ送信されるデータに対応する前記サービス要求条件を評価することと、
前記第１の時間インターバルの間に、周波数帯域のうちのオーバラップしない第１及び第２の部分を、それぞれ第１及び第２のマルチキャリア変調方式に割り当てること（1102）と、
前記第２の時間インターバルの間に、周波数帯域のうちのオーバラップしない第３及び第４の部分を、それぞれ第３及び第４のマルチキャリア変調方式に割り当てること（1106）とを含み、
前記第１の時間インターバルの間の、前記周波数帯域のうちの前記第１及び第２の部分の前記第１及び第２のマルチキャリア変調方式への前記割り当て（1102）と、前記第２の時間インターバルの間の、前記周波数帯域のうちの前記第３及び第４の部分の前記第３及び第４のマルチキャリア変調方式への前記割り当て（1106）とは、サービス要求条件の前記評価に基づいており、かつ、前記第３及び第４の部分が前記第１及び第２の部分と異なるか、前記第３及び第４のマルチキャリア変調方式が前記第１及び第２のマルチキャリア変調方式と異なるか、又はその両方である、方法。
【請求項２】
請求項１に記載の方法（1100）であって、更に、
前記周波数帯域の前記第１及び第２の部分で前記第１及び第２のマルチキャリア変調方式を使用して、前記第１の時間インターバルにおいて１つ以上の無線デバイスへデータを送信すること（1104）と、
前記周波数帯域の前記第３及び第４の部分で前記第３及び第４のマルチキャリア変調方式を使用して、前記第２の時間インターバルにおいて１つ以上の無線デバイスへデータを送信すること（1108）とを含む、方法。
【請求項３】
請求項１又は２に記載の方法（1100）であって、更に、前記第１及び第２の時間インターバルにおいてスケジューリングされる１つ以上の無線デバイスについてのデバイス能力情報を評価することを含み、前記第１の時間インターバルの間の、前記周波数帯域のうちの前記第１及び第２の部分の前記第１及び第２のマルチキャリア変調方式への前記割り当て（1102）と、前記第２の時間インターバルの間の、前記周波数帯域のうちの前記第３及び第４の部分の前記第３及び第４のマルチキャリア変調方式への前記割り当て（1106）とは、デバイス能力情報の前記評価に基づいている、方法。
【請求項４】
請求項３に記載の方法（1100）であって、更に、デバイス能力情報の前記評価に先立って、１つ以上の無線デバイスについての前記デバイス能力情報を各無線デバイスから受信することを含む、方法。
【請求項５】
請求項３又は４に記載の方法（1100）であって、前記デバイス能力情報は、第１の無線デバイスが、単一のマルチキャリア変調方式のみを用いて動作できることを示し、前記第１及び第２の時間インターバルの少なくともいずれかにおける前記周波数帯域の少なくとも１つの部分が、前記示すことに応じて前記単一のマルチキャリア変調方式に対して割り当てられる、方法。
【請求項６】
請求項１から５のいずれか１項に記載の方法（1100）であって、更に、それぞれの時間インターバルにおいて異なるマルチキャリア変調方式を使用して、前記第１及び第２の時間インターバルのそれぞれにおいて第２の無線デバイスへデータを送信することを含む、方法。
【請求項７】
請求項１から６のいずれか１項に記載の方法（1100）であって、前記第１又は第２の時間インターバルは、第１、第２、第３又は第４のマルチキャリア変調方式のサブキャリア間隔について、マルチキャリア変調方式に従って使用される変調シンボルの数に依存している、方法。
【請求項８】
請求項１から７のいずれか１項に記載の方法（1100）であって、前記第１及び第２の時間インターバルは時間的に連続している、方法。
【請求項９】
請求項１から８のいずれか１項に記載の方法（1100）であって、前記第１又は第２の時間インターバルの長さは、前記周波数帯域のうちの前記第１、第２、第３及び第４の部分の割り当ての時点を定める、方法。
【請求項１０】
方法（1200）であって、
第１及び第２の時間インターバルに先立って、前記第１及び第２の時間インターバルにおいて無線デバイスへ送信されるデータに対して満たされるべきサービス要求条件のインジケーションを、前記第１及び第２の時間インターバルにおいて前記無線デバイスへ送信されるデータに対応する前記サービス要求条件の評価のために、リモート送信デバイスへ送信することと、
前記第１の時間インターバルにおいて、第１のマルチキャリア変調方式を使用して、周波数帯域の第１の部分からのデータを受信及び復調すること（1202）と、
前記第２の時間インターバルにおいて、第２のマルチキャリア変調方式を使用して、前記周波数帯域の第２の部分からのデータを受信及び復調すること（1204）とを含み、
前記データは、前記第１の時間インターバルの間の、前記周波数帯域の前記第１の部分の前記第１のマルチキャリア変調方式への割り当てと、前記第２の時間インターバルの間の、前記周波数帯域の前記第２の部分の前記第２のマルチキャリア変調方式への割り当てとに従って受信され、当該割り当てはサービス要求条件の前記評価に基づいている、方法。
【請求項１１】
請求項１０に記載の方法（1200）であって、前記周波数帯域の前記第１の部分は、前記周波数帯域の前記第２の部分と異なる、方法。
【請求項１２】
請求項１０又は１１に記載の方法（1200）であって、更に、受信用のマルチキャリア変調方式についての前記無線デバイスの能力のインジケーションを、前記第１及び第２の時間インターバルに先立って前記リモート送信デバイスへ送信することを含む、方法。
【請求項１３】
請求項１０から１２のいずれか１項に記載の方法（1200）であって、更に、要求されたマルチキャリア変調方式のインジケーションを、前記第１及び第２の時間インターバルに先立って前記リモート送信デバイスへ送信することを含む、方法。
【請求項１４】
無線送信機（30,50）であって、
マルチキャリア変調方式に従って無線送信を送信及び受信するように構成された送受信回路（36,56）と、
前記送受信回路（36,56）に動作可能に接続された処理回路（32,52）であって、当該処理回路は、
１つ以上の無線デバイスに対して満たされるべきサービス要求条件を各無線デバイスから受信し、
第１及び第２の時間インターバルに前記無線デバイスへ送信されるデータに対応する前記サービス要求条件を評価し、
前記第１の時間インターバルの間に、周波数帯域のうちのオーバラップしない第１及び第２の部分を、それぞれ第１及び第２のマルチキャリア変調方式に割り当て（1102）、
前記第２の時間インターバルの間に、周波数帯域のうちのオーバラップしない第３及び第４の部分を、それぞれ第３及び第４のマルチキャリア変調方式に割り当てる（1106）ように構成されており、
前記第１の時間インターバルの間の、前記周波数帯域のうちの前記第１及び第２の部分の前記第１及び第２のマルチキャリア変調方式への前記割り当て（1102）と、前記第２の時間インターバルの間の、前記周波数帯域のうちの前記第３及び第４の部分の前記第３及び第４のマルチキャリア変調方式への前記割り当て（1106）とは、サービス要求条件の前記評価に基づいており、かつ、前記第３及び第４の部分が前記第１及び第２の部分と異なるか、前記第３及び第４のマルチキャリア変調方式が前記第１及び第２のマルチキャリア変調方式と異なるか、又はその両方である、無線送信機。
【請求項１５】
請求項１４に記載の無線送信機（30,50）であって、前記送受信回路（36,56）は、
前記周波数帯域の前記第１及び第２の部分で前記第１及び第２のマルチキャリア変調方式を使用して、前記第１の時間インターバルにおいて１つ以上の無線デバイスへ、前記送受信回路（36,56）を介してデータを送信し、
前記周波数帯域の前記第３及び第４の部分で前記第３及び第４のマルチキャリア変調方式を使用して、前記第２の時間インターバルにおいて１つ以上の無線デバイスへ、前記送受信回路（36,56）を介してデータを送信するように構成されている、無線送信機。
【請求項１６】
請求項１４又は１５に記載の無線送信機（30,50）であって、前記処理回路（32,52）は、前記第１及び第２の時間インターバルにおいてスケジューリングされる１つ以上の無線デバイスについてのデバイス能力情報を評価し、かつ、デバイス能力情報の前記評価に基づいて、前記第１の時間インターバルの間の、前記周波数帯域のうちの前記第１及び第２の部分の前記第１及び第２のマルチキャリア変調方式への前記割り当て（1102）と、前記第２の時間インターバルの間の、前記周波数帯域のうちの前記第３及び第４の部分の前記第３及び第４のマルチキャリア変調方式への前記割り当て（1106）とを実行するように構成されている、無線送信機。
【請求項１７】
請求項１６に記載の無線送信機（30,50）であって、前記処理回路（32,52）は、デバイス能力情報の前記評価に先立って、１つ以上の無線デバイスについての前記デバイス能力情報を各無線デバイスから受信するように構成されている、無線送信機。
【請求項１８】
請求項１６又は１７に記載の無線送信機（30,50）であって、前記デバイス能力情報は、第１の無線デバイスが、単一のマルチキャリア変調方式のみを用いて動作できることを示し、前記無線送信機は、前記第１及び第２の時間インターバルの少なくともいずれかにおける前記周波数帯域の少なくとも１つの部分を、前記示すことに応じて前記単一のマルチキャリア変調方式に対して割り当てるように構成されている、無線送信機。
【請求項１９】
請求項１４から１８のいずれか１項に記載の無線送信機（30,50）であって、前記処理回路（32,52）は、それぞれの時間インターバルにおいて異なるマルチキャリア変調方式を使用して、前記第１及び第２の時間インターバルのそれぞれにおいて第２の無線デバイスへデータを送信するように構成されている、無線送信機。
【請求項２０】
請求項１４から１９のいずれか１項に記載の無線送信機（30,50）であって、前記第１又は第２の時間インターバルは、第１、第２、第３又は第４のマルチキャリア変調方式のサブキャリア間隔について、マルチキャリア変調方式に従って使用される変調シンボルの数に依存している、無線送信機。
【請求項２１】
請求項１４から２０のいずれか１項に記載の無線送信機（30,50）であって、前記第１及び第２の時間インターバルは時間的に連続している、無線送信機。
【請求項２２】
請求項１４から２１のいずれか１項に記載の無線送信機（30,50）であって、前記第１又は第２の時間インターバルの長さは、前記周波数帯域のうちの前記第１、第２、第３及び第４の部分の割り当ての時点を定める、無線送信機。
【請求項２３】
無線受信機（30,50）であって、
マルチキャリア変調方式に従って無線送信を送信及び受信するように構成された送受信回路（36,56）と、
前記送受信回路（36,56）に動作可能に接続された処理回路（32,52）であって、当該処理回路は、
第１及び第２の時間インターバルに先立って、前記第１及び第２の時間インターバルにおいて無線デバイスへ送信されるデータに対して満たされるべきサービス要求条件のインジケーションを、前記第１及び第２の時間インターバルにおいて前記無線デバイスへ送信されるデータに対応する前記サービス要求条件の評価のために、リモート送信デバイスへ送信し、
前記第１の時間インターバルにおいて、第１のマルチキャリア変調方式を使用して、周波数帯域の第１の部分からのデータを受信及び復調し（1202）、
前記第２の時間インターバルにおいて、第２のマルチキャリア変調方式を使用して、前記周波数帯域の第２の部分からのデータを受信及び復調する（1204）ように構成されており、
前記データは、前記第１の時間インターバルの間の、前記周波数帯域の前記第１の部分の前記第１のマルチキャリア変調方式への割り当てと、前記第２の時間インターバルの間の、前記周波数帯域の前記第２の部分の前記第２のマルチキャリア変調方式への割り当てとに従って受信され、当該割り当てはサービス要求条件の前記評価に基づいている、無線受信機。
【請求項２４】
請求項２３に記載の無線受信機（30,50）であって、前記周波数帯域の前記第１の部分は、前記周波数帯域の前記第２の部分と異なる、無線受信機。
【請求項２５】
請求項２３又は２４に記載の無線受信機（30,50）であって、前記処理回路（32,52）は、受信用のマルチキャリア変調方式についての前記無線デバイスの能力のインジケーションを、前記第１及び第２の時間インターバルに先立って前記リモート送信デバイスへ送信するように構成されている、無線受信機。
【請求項２６】
請求項２３から２５のいずれか１項に記載の無線受信機（30,50）であって、前記処理回路（32,52）は、要求されたマルチキャリア変調方式のインジケーションを、前記第１及び第２の時間インターバルに先立って前記リモート送信デバイスへ送信するように構成されている、無線受信機。
【請求項２７】
少なくとも１つの処理回路（32,52）で実行された場合に、請求項１から１３のいずれか１項に記載の方法（1100,1200）を前記少なくとも１つの処理回路（32,52）に実行させる命令を含む、コンピュータプログラム（46,66）。
【請求項２８】
請求項２７に記載のコンピュータプログラム（46,66）を格納したコンピュータ読み取り可能記憶媒体。
【外国語明細書】
2019198090000001.pdf